(57)【要約】  【課題】  通報装置と宅内電話機の連携を向上して互いの不安を解消する。  【解決手段】  電話回線３に対して切替可能に接続される通報装置１と宅内電話機１８を備えた通報システムである。通報装置１の外部連絡スイッチ５を操作することにより通報装置１が電話回線３を介して外部電話機４に接続されて、外部電話機４に対して通報連絡可能になり、その後、再び外部連絡スイッチ５を操作すると、電話回線３が宅内電話機１８に切替接続されることにより外部電話機４と通話可能にしている。外部者と宅人とが容易に通話できて互いの不安感を解消しやすくなる。【選択図】  図１
2006050249.tif 000002
【特許請求の範囲】
【請求項１】
電話回線に対して切替可能に接続される通報装置と宅内電話機を備え、通報装置の外部連絡スイッチを操作することにより通報装置が電話回線を介して外部電話機に接続されて、外部電話機に対して通報連絡可能になり、その後、再び外部連絡スイッチを操作すると、電話回線が宅内電話機に切替接続されることにより外部電話機と通話可能にした通報システム。
【発明の詳細な説明】
【技術分野】
【０００１】
本発明は、電話回線に対して切替可能に接続される通報装置と宅内電話機を備えた通報システムに関する。
【背景技術】
【０００２】
特許文献１などの通報装置では、外部連絡ボタンを押すことで予め登録されている外部電話機に接続されるが、予め定められた通報内容を伝えるだけのものであった。
【特許文献１】特開平６−２５９６８３号公報
【発明の開示】
【発明が解決しようとする課題】
【０００３】
そうすると、外部電話機側では通報があったという情報しか実質得られず、通報元のリアルタイムな状況を把握することは不可能であったため、不安感が大きいものであった。また、外部連絡ボタンを押した側も通報相手に本当に伝達されているか分からず、これまた不安を抱いてしまうものである。本発明はこのような解決すべき課題を鑑み、通報装置と宅内電話機の連携を向上して互いの不安を解消することを目的とする。
【課題を解決するための手段】
【０００４】
本発明を要約すると、電話回線に対して切替可能に接続される通報装置と宅内電話機を備え、通報装置の外部連絡スイッチを操作することにより通報装置が電話回線を介して外部電話機に接続されて、外部電話機に対して通報連絡可能になり、その後、再び外部連絡スイッチを操作すると、電話回線が宅内電話機に切替接続されることにより外部電話機と通話可能にした通報システムである。
【発明の効果】
【０００５】
本発明によれば、外部連絡スイッチの操作で外部電話機に対して通報連絡可能になった後、再び外部連絡スイッチを操作することにより、電話回線が宅内電話機に切替接続されることにより外部電話機と通話可能になるため、通報先の外部者と宅人とが容易に通話できて互いの不安感を解消しやすくなる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、電話回線３に対して切替可能に接続される通報装置１と宅内電話機１８を備え、通報装置１の外部連絡スイッチ５を操作することにより通報装置１が電話回線３を介して外部電話機４に接続されて、外部電話機４に対して通報連絡可能になり、その後、再び外部連絡スイッチ５を操作すると、電話回線３が宅内電話機１８に切替接続されることにより外部電話機４と通話可能にした通報システムである。詳細は後述する。
【０００８】
また、通報装置１は住宅Ｊ内の床やテーブルなどに設置される安否確認装置１でもあり、この装置１は、独居老人など住宅Ｊ内に居る人の動きを検知する焦電型赤外線センサなどの人体センサ２を備えている。例えば12または24時間などの所定時間に渡って前記人体センサ２に人体検知信号が発生しなかった場合に、電話回線３を介して外部電話機４へ自動通報するものである。
【０００９】
この装置１は、住宅Ｊ内の図示されない照明器具やエアコンなどの機器を外部から遠隔制御する機器コントローラ(テレコントローラ)としての機能も併せ備えている。この装置１の主要構成は、ワンチップマイコン・EEPROMなどによる制御部６を主要素とし、制御部６は、いわゆるDTMF-IC７とリレー回路８(リレー接点8a含む)及びライントランス９などを含むアナログ回線I/Fを介して電話回線３との信号授受を行う通常のものである。また、制御部６の出力信号により赤外LED１０から赤外線リモコン信号を照明器具やエアコンに向けて送出可能としている。また、制御部６には、人体が発する赤外線を検知可能な人体センサ２と外部連絡スイッチ５などのスイッチからの信号が入力される。また、制御部６とライントランス９間には音声IC１１が接続され、音声IC１１の出力はAMP１２を介してスピーカー１３を駆動し、音による回線モニター機能や装置使用時の音声ガイダンス機能などが可能となっている。また、１４はフォトカップラなどを用いた呼出信号検出回路、１５はフォトカップラなどを用いた使用状況確認回路であり、いずれも装置１の背面に設けた回線端子１６に接続される電話回線３の状態を検出している。また、電話機端子１７には装置１の設置以前に既にあった宅内電話機１８などを接続して使用する。なお、１９は装置１の電源スイッチである。
【００１０】
この装置１は、外部電話機４を用いて外部から送信した信号を電話回線３を介して受け、制御部６の制御機能に基づき前記信号に対応して、照明器具やエアコンが認識する赤外線リモコン信号を送出することができる。また、人体センサ２により人(侵入者)が装置１の近傍に来たことを検知した場合、この検知信号に基づいて外部電話機４に人検知信号を送る設定にすることも可能である。
【００１１】
この装置１は独居老人など高齢者のみまもり(安否確認)に適しており、みまもられる人のいる住宅に設置しておく。みまもりモードとするには装置１の背面にある「みまもり」ボタン(スイッチ)２０を押しておく。これにより装置１の前面にある「みまもり」LED２１が点灯してそのモード状態が分かる。なお、「みまもり」ボタン２０をもう１回押すと「みまもり」モードは解除されて、「みまもり」LED２１は消灯する。みまもりモード状態では、人の動きが人体センサ２で検知可能になり、人検知のある毎に装置１の前面にある「センサ」検知LED２２が点灯する。なお、自動通報に至るまでのみまもり時間(センサ非検知継続時間)は装置１背面のスイッチ２３のスライド位置に応じて、12時間または24時間に設定できる。
【００１２】
宅人になんらかの異常があって動きがない状況が続き、設定された所定時間に渡って人体センサ２に人体検知信号が発生しなかった場合には、電話回線３を介して外部電話機４へ自動通報するものである。また、装置１は、宅人の異常時に外部電話機４に通報したときにどの装置からの通報であるかを、あらかじめ登録された暗証番号で伝達するとよい。そうすると、一つの外部電話機４で複数の装置を見守っている場合に、どの装置からの通報であるかを判別できる。
【００１３】
次に、宅人が外部電話機４に緊急連絡する際に外部連絡スイッチ５を押圧操作した後の流れを図５を参照して説明する。外部連絡スイッチ５が操作されると、制御部６のプログラム手順に従って通報処理が開始される(ステップS1)。まず、S2にて宅内電話機１８が使用中であるかどうかなど「発信可能状態か?」がチェックされる。Nならば所定時間の発信待機の後に再びS2に戻るが、Yであると、S3でオフフック、S4でダイヤルし、S5にて「相手が(外部電話機４の)受話器を取ったか?」を判断する。Nならば例えば30秒経過後にオンフックとなり処理は終了する。Yならば、通報装置１が電話回線３を介して外部電話機４に接続されて、外部電話機４に対して通報連絡可能になる。具体的にはS6にて例えば、「連絡ボタンが押されました…」などの音声ガイダンスを開始する。このガイダンスは宅人にもスピーカ１３から聞こえて確認できる。また、相手が話をすると、その声がスピーカ１３を通じて聞こえ、宅人に話しかけることが可能となっている。
【００１４】
その後、再び外部連絡スイッチ５を操作するとS7にてYとなり、電話回線３がリレー接点8aにて宅内電話機１８に切替接続されることにより、宅内電話機１８にて外部電話機４と通話可能すなわち会話可能となる。会話が終って宅内電話機１８の受話器を置けば、S9にてオンフックとなって終了する。なお、音声ガイダンスを開始する前の段階までは、再度外部連絡スイッチ５を押すことにより通報連絡処理を中止できるようにしてあるとよい。また、ガイダンスを開始してからは宅内電話機１８の受話器を上げてから外部連絡スイッチ５を押すと通報処理を中止できるようにしてあるとよい。また、S7にて外部連絡スイッチ５の操作がないために(Nの場合)、相手が電話を切ってしまえば、S10にてBT(BUSY TONE)を3回検出後、処理が終了されるようになる。
【００１５】
このように本実施形態によれば、外部連絡スイッチ５の操作で外部電話機４に対して通報連絡可能になった後、再び外部連絡スイッチ５を操作することにより、電話回線３が宅内電話機１８に切替接続されることにより外部電話機４と通話可能になるため、外部者と宅人とが容易に通話できて互いの不安感を解消しやすくなる。
【図面の簡単な説明】
【００１６】
【図１】本発明による装置の設置状態概略図
【図２】同装置を前面から見た外観斜視図
【図３】同背面図
【図４】同回路ブロック図
【図５】同通報処理動作を示すフロー図
【符号の説明】
【００１７】
１  通報装置(安否確認装置)
３  電話回線
４  外部電話機
５  外部連絡スイッチ
１８  宅内電話機
【図１】
2006050249.tif 000003
【図２】
2006050249.tif 000004
【図３】
2006050249.tif 000005
【図４】
2006050249.tif 000006
【図５】
2006050249.tif 000007